(57)【要約】【課題】この発明は、コンテンツを購入した機器以外の機器で同じコンテンツを取得し再生することを可能としてユーザによる取り扱いの自由度を高め、しかも、コンテンツの不正コピー等に対して十分な保護も行なうことができるコンテンツ再生装置及びコンテンツ再生方法を提供することを目的としている。【解決手段】サーバ（１４）から暗号化コンテンツ（２１）と鍵データ（２３）とを購入してコンテンツを再生するＰＣ（１９）が、取得した鍵データとそのリストとを異なる暗号鍵で暗号化しライセンス（２７）に記録させる。再生機器（３０）が、ライセンス（２７）から暗号鍵データとそのリストとを読み取って復号化し、その鍵データリスト及び鍵データをサーバ（１４）に開示して取得可能なコンテンツのリストを得、コンテンツリストに基づいてサーバ（１４）から取得した暗号化コンテンツを、復号化された鍵データに基づいて再生する。【選択図】    図１
2008011399.tif 000002
【特許請求の範囲】
【請求項１】
自己に付された第１の識別情報と自己に着脱自在に接続されるライセンスに付された第２の識別情報とをコンテンツ配信元に登録する登録手段と、前記コンテンツ配信元から暗号化されたコンテンツとその暗号化を解くための鍵データとを購入し、前記鍵データに基づいて前記暗号化されたコンテンツの暗号化を解き再生する第１の再生手段と、前記コンテンツ配信元から取得した鍵データのリストを作成し、その鍵データリストに前記第１の識別情報を用いて暗号化処理を施し、その暗号鍵データリストを前記ライセンスに記録させる第１の暗号化手段と、前記コンテンツ配信元から取得した鍵データに前記第２の識別情報を用いて暗号化処理を施し、その暗号鍵データを前記ライセンスに記録させる第２の暗号化手段とを備えた第１の機器と、
接続された前記ライセンスから前記暗号鍵データリストを読み取り、前記第１の識別情報に基づいて前記暗号鍵データリストの暗号化を解いて前記鍵データリストを得る第１の復号化手段と、接続された前記ライセンスから前記暗号鍵データを読み取り、前記第２の識別情報に基づいて前記暗号鍵データの暗号化を解いて前記鍵データを得る第２の復号化手段と、前記第１及び第２の復号化手段で得られた鍵データリスト及び鍵データを前記コンテンツ配信元に開示して、取得可能なコンテンツのリストを取得するリスト取得手段と、前記リスト取得手段で取得したコンテンツリストに基づいて前記コンテンツ配信元から暗号化されたコンテンツを取得し、前記第２の復号化手段で得られた鍵データに基づいて暗号化を解き再生する第２の再生手段とを備えた第２の機器とを具備することを特徴とするコンテンツ再生装置。
【請求項２】
前記ライセンスは、携帯可能な形状を有し、前記第１及び第２の機器にそれぞれ設置された装着部に選択的に装着されることを特徴とする請求項１記載のコンテンツ再生装置。
【請求項３】
前記コンテンツ配信元と前記第１及び第２の機器とは、ネットワークを介して情報伝送可能に接続されることを特徴とする請求項１記載のコンテンツ再生装置。
【請求項４】
前記リスト取得手段は、前記コンテンツ配信元が、前記第１の復号化手段で得られた鍵データリストと前記第２の復号化手段で得られた鍵データとを照合して作成したコンテンツリストを取得することを特徴とする請求項１記載のコンテンツ再生装置。
【請求項５】
前記リスト取得手段は、前記コンテンツ配信元が、前記第１の機器が購入したコンテンツの履歴と、前記第１の復号化手段で得られた鍵データリストとを照合して作成したコンテンツリストを取得することを特徴とする請求項１記載のコンテンツ再生装置。
【請求項６】
第１の機器に付された第１の識別情報と、前記第１の機器に着脱自在に接続されるライセンスに付された第２の識別情報とをコンテンツ配信元に登録する登録工程と、
前記第１の機器が、前記コンテンツ配信元から暗号化されたコンテンツとその暗号化を解くための鍵データとを購入し、前記鍵データに基づいて前記暗号化されたコンテンツの暗号化を解き再生する第１の再生工程と、
前記第１の機器が、前記コンテンツ配信元から取得した鍵データのリストを作成し、その鍵データリストに前記第１の識別情報を用いて暗号化処理を施し、その暗号鍵データリストを前記ライセンスに記録させる第１の暗号化工程と、
前記第１の機器が、前記コンテンツ配信元から取得した鍵データに前記第２の識別情報を用いて暗号化処理を施し、その暗号鍵データを前記ライセンスに記録させる第２の暗号化工程と、
第２の機器が、それに接続された前記ライセンスから前記暗号鍵データリストを読み取り、前記第１の識別情報に基づいて前記暗号鍵データリストの暗号化を解いて前記鍵データリストを得る第１の復号化工程と、
前記第２の機器が、それに接続された前記ライセンスから前記暗号鍵データを読み取り、前記第２の識別情報に基づいて前記暗号鍵データの暗号化を解いて前記鍵データを得る第２の復号化工程と、
前記第２の機器が、前記第１及び第２の復号化工程で得られた鍵データリスト及び鍵データを前記コンテンツ配信元に開示して、取得可能なコンテンツのリストを取得するリスト取得工程と、
前記第２の機器が、前記リスト取得工程で取得したコンテンツリストに基づいて前記コンテンツ配信元から暗号化されたコンテンツを取得し、前記第２の復号化工程で得られた鍵データに基づいて暗号化を解き再生する第２の再生工程とを具備することを特徴とするコンテンツ再生方法。
【請求項７】
前記リスト取得工程は、前記コンテンツ配信元が、前記第１の復号化工程で得られた鍵データリストと前記第２の復号化工程で得られた鍵データとを照合して作成したコンテンツリストを取得することを特徴とする請求項６記載のコンテンツ再生方法。
【請求項８】
前記リスト取得工程は、前記コンテンツ配信元が、前記第１の機器が購入したコンテンツの履歴と、前記第１の復号化工程で得られた鍵データリストとを照合して作成したコンテンツリストを取得することを特徴とする請求項６記載のコンテンツ再生方法。
【発明の詳細な説明】
【技術分野】
【０００１】
この発明は、コンテンツ配信元から、暗号化されたコンテンツとそのコンテンツの暗号化を解く鍵データとを取得して、コンテンツを再生するためのコンテンツ再生装置及びコンテンツ再生方法の改良に関する。
【背景技術】
【０００２】
周知のように、近年では、ユーザがＰＣ（personal computer）等を用いて、コンテンツ配信サービスを行なうサーバにネットワークを介してアクセスすることにより、当該サーバから暗号化されたコンテンツと鍵データとを購入し、その鍵データに基づいてコンテンツに対する暗号化を解き再生を行なうコンテンツ配信システムが構築されている。
【０００３】
ところで、このようなコンテンツ配信システムにおいて、ＰＣが購入したコンテンツを他の再生機器に転送して再生したい場合には、ＰＣから暗号化されたコンテンツとその鍵データとを再生機器に転送し、再生機器が、鍵データに基づいてコンテンツに対する暗号化を解き再生を行なうようにしている。
【０００４】
すなわち、この種のコンテンツ配信システムでは、コンテンツを購入したＰＣからでなければ、他の再生機器にコンテンツを転送して再生させることが不可能になっている。つまり、コンテンツを購入したＰＣを用いることなく、他の再生機器で同じコンテンツを再生したい場合には、サーバから同じコンテンツを再購入する必要が生じることになる。
【０００５】
特許文献１には、映像や音声等のデジタルコンテンツを暗号処理した著作権管理コンテンツに対応するライセンス（権利情報）及びコンテンツ鍵を、所定の条件の元にリムーバブル記憶媒体にコピーすることを許可し、別のユーザがリムーバブル記憶媒体を用いてコンテンツを再生することができるようにした構成が開示されている。
【特許文献１】特開２００６−０８５４８２
【発明の開示】
【発明が解決しようとする課題】
【０００６】
そこで、この発明は上記事情を考慮してなされたもので、コンテンツを購入した機器以外の機器で同じコンテンツを取得し再生することを可能としてユーザによる取り扱いの自由度を高め、しかも、コンテンツの不正コピー等に対して十分な保護も行なうことができるコンテンツ再生装置及びコンテンツ再生方法を提供することを目的とする。
【課題を解決するための手段】
【０００７】
この発明に係るコンテンツ再生装置は、自己に付された第１の識別情報と自己に着脱自在に接続されるライセンスに付された第２の識別情報とをコンテンツ配信元に登録する登録手段と、コンテンツ配信元から暗号化されたコンテンツとその暗号化を解くための鍵データとを購入し、鍵データに基づいて暗号化されたコンテンツの暗号化を解き再生する第１の再生手段と、コンテンツ配信元から取得した鍵データのリストを作成し、その鍵データリストに第１の識別情報を用いて暗号化処理を施し、その暗号鍵データリストをライセンスに記録させる第１の暗号化手段と、コンテンツ配信元から取得した鍵データに第２の識別情報を用いて暗号化処理を施し、その暗号鍵データをライセンスに記録させる第２の暗号化手段とを備えた第１の機器と；接続されたライセンスから暗号鍵データリストを読み取り、第１の識別情報に基づいて暗号鍵データリストの暗号化を解いて鍵データリストを得る第１の復号化手段と、接続されたライセンスから暗号鍵データを読み取り、第２の識別情報に基づいて暗号鍵データの暗号化を解いて鍵データを得る第２の復号化手段と、第１及び第２の復号化手段で得られた鍵データリスト及び鍵データをコンテンツ配信元に開示して、取得可能なコンテンツのリストを取得するリスト取得手段と、リスト取得手段で取得したコンテンツリストに基づいてコンテンツ配信元から暗号化されたコンテンツを取得し、第２の復号化手段で得られた鍵データに基づいて暗号化を解き再生する第２の再生手段とを備えた第２の機器とを備えるようにしたものである。
【０００８】
また、この発明に係るコンテンツ再生方法は、第１の機器に付された第１の識別情報と、第１の機器に着脱自在に接続されるライセンスに付された第２の識別情報とをコンテンツ配信元に登録する登録工程と；第１の機器が、コンテンツ配信元から暗号化されたコンテンツとその暗号化を解くための鍵データとを購入し、鍵データに基づいて暗号化されたコンテンツの暗号化を解き再生する第１の再生工程と；第１の機器が、コンテンツ配信元から取得した鍵データのリストを作成し、その鍵データリストに第１の識別情報を用いて暗号化処理を施し、その暗号鍵データリストをライセンスに記録させる第１の暗号化工程と；第１の機器が、コンテンツ配信元から取得した鍵データに第２の識別情報を用いて暗号化処理を施し、その暗号鍵データをライセンスに記録させる第２の暗号化工程と；第２の機器が、それに接続されたライセンスから暗号鍵データリストを読み取り、第１の識別情報に基づいて暗号鍵データリストの暗号化を解いて鍵データリストを得る第１の復号化工程と；第２の機器が、それに接続されたライセンスから暗号鍵データを読み取り、第２の識別情報に基づいて暗号鍵データの暗号化を解いて鍵データを得る第２の復号化工程と、第２の機器が、第１及び第２の復号化工程で得られた鍵データリスト及び鍵データをコンテンツ配信元に開示して、取得可能なコンテンツのリストを取得するリスト取得工程と；第２の機器が、リスト取得工程で取得したコンテンツリストに基づいてコンテンツ配信元から暗号化されたコンテンツを取得し、第２の復号化工程で得られた鍵データに基づいて暗号化を解き再生する第２の再生工程とを備えるようにしたものである。
【発明の効果】
【０００９】
上記した発明によれば、ライセンスを第２の機器に接続することにより、第１の機器を使用することなく、第２の機器で、過去に第１の機器が購入したコンテンツを課金なく取得し再生することが可能となる。このため、ユーザによる取り扱いの自由度を高めることが可能となる。
【発明を実施するための最良の形態】
【００１０】
以下、この発明の実施の形態について図面を参照して詳細に説明する。図１は、この実施の形態で説明するコンテンツ配信システムの概略を示している。このコンテンツ配信システムは、コンテンツを配信するコンテンツ配信サービス１１と、コンテンツ配信サービス１１からコンテンツを購入して再生するユーザ１２とを、ネットワーク１３によって情報伝送可能に接続することにより構築されている。
【００１１】
このうち、コンテンツ配信サービス１１は、ネットワーク１３を介してコンテンツを配信するためのサーバ１４を備えている。このサーバ１４は、それぞれ著作権保護のために暗号化処理が施された種々のコンテンツを蓄積するコンテンツデータベース１５と、このコンテンツデータベース１５に蓄積された種々のコンテンツ毎にそれぞれ暗号化を解くために用意された複数の鍵データを蓄積する鍵データベース１６とを備えている。
【００１２】
また、このサーバ１４には、詳細は後述するが、ユーザ１２の有する機器（ＰＣ）やライセンスとの認証を行なうための各種の識別情報の登録に関する処理を行なう登録処理部１７と、ユーザ１２の有する再生機器により開示されるコンテンツリストとライセンス情報（鍵データ）とに基づいて、ユーザにダウンロード可能なコンテンツのリスト作成に関する処理を行なうリスト処理部１８とを備えている。
【００１３】
一方、ユーザ１２は、ＰＣ１９を備えている。このＰＣ１９は、ネットワーク１３に接続可能である。また、このＰＣ１９は、自己に付された固有な識別番号ＰＣＩＤ等をサーバ１４に登録することに関する処理を行なうための登録処理部２０を備えている。この場合、ＰＣ１９に付される固有な識別番号ＰＣＩＤは、ユーザ１２が指定することもできるし、コンテンツ配信サービス１１で指定することもできる。
【００１４】
また、このＰＣ１９は、サーバ１４にアクセスして、そのコンテンツデータベース１５から所望の暗号化されたコンテンツを選択して取得することができる。この取得された暗号化コンテンツ２１は、再生処理部２２に供給される。
【００１５】
ＰＣ１９は、暗号化コンテンツ２１を取得すると自動的にサーバ１４にアクセスし、その取得した暗号化コンテンツ２１の暗号化を解くための鍵データを要求する。この鍵データの要求により、サーバ１４は、鍵データベース１６から必要な鍵データをＰＣ１９に送信するとともに、ＰＣ１９に対して課金を発生する。これにより、ユーザ１２がコンテンツ配信サービス１１からコンテンツを購入したことになる。
【００１６】
そして、ＰＣ１９が取得した鍵データ２３は、再生処理部２２に供給されて暗号化コンテンツ２１の暗号解読処理に供され、ここに、購入したコンテンツの再生が行なわれる。また、ＰＣ１９が取得した鍵データ２３は、暗号化処理部２４に供給される。この暗号化処理部２４は、入力された鍵データを、後述するライセンスに付された固有な識別番号ＬＩＩＤを暗号化鍵として暗号化する。
【００１７】
さらに、ＰＣ１９が取得した鍵データ２３は、リスト作成部２５に供給される。このリスト作成部２５は、ＰＣ１９が鍵データ２３を取得する毎に、その取得した鍵データ２３をリストに登録する。つまり、ＰＣ１９が取得した各種の鍵データ２３は、それぞれ、ＰＣ１９によって購入したコンテンツに対応しているため、取得した鍵データ２３をリスト化することは、購入したコンテンツのリストを作成したことに対応する。
【００１８】
そして、リスト作成部２５で作成された鍵データ２３のリストは、暗号化処理部２６に供給される。この暗号化処理部２６は、入力された鍵データリストを、ＰＣ１９に付された固有な識別番号ＰＣＩＤを暗号化鍵として暗号化する。
【００１９】
ここで、上記ＰＣ１９は、ライセンス２７を着脱可能な装着部（図示せず）を備えている。このライセンス２７は、例えば携帯が可能なカード状に構成され、内部に半導体メモリ等の情報記録媒体を備えている。そして、ＰＣ１９は、その登録処理部２０を用いて、装着部に接続されたライセンス２７をサーバ１４に登録する。このとき、コンテンツ配信サービス１１からライセンス２７に固有な識別番号ＬＩＩＤが発行され、ライセンス２７の使用が可能となる。
【００２０】
そして、ライセンス２７は、ＰＣ１９に接続されているとき、暗号化処理部２４でライセンス２７に固有な識別番号ＬＩＩＤを暗号鍵として鍵データ２３を暗号化した暗号鍵データ２８と、暗号化処理部２６でＰＣ１９に固有な識別番号ＰＣＩＤを暗号鍵として鍵データリストを暗号化した暗号鍵データリスト２９とが書き込まれる。
【００２１】
この場合、暗号鍵データ２８と暗号鍵データリスト２９とは、同じタイミングでライセンス２７に書き込まれることが望まれる。しかしながら、例えば、暗号鍵データ２８は、鍵データ２３が取得されて暗号化される毎に書き込ませ、暗号鍵データリスト２９は、ＰＣ１９の電源がオフされる際、または、ライセンス２７がＰＣ１９から取り出される際に書き込ませるようにすることも可能である。
【００２２】
また、上記ユーザ１２は、再生機器３０を備えている。この再生機器３０は、ネットワーク１３に接続可能である。また、この再生機器３０は、上記ライセンス２７を着脱可能な装着部（図示せず）を備えている。
【００２３】
そして、ライセンス２７が装着部に接続されたとき、再生機器３０は、ライセンス２７から暗号鍵データリスト２９を読み取り復号化処理部３１に供給する。この復号化処理部３１は、ＰＣ１９に固有な識別番号ＰＣＩＤを用いて、入力された暗号鍵データリスト２９の暗号化を解き、鍵データリスト３２を作成する。そして、再生機器３０は、この鍵データリスト３２を、ＰＣ１９が購入したコンテンツリストとしてサーバ１４に開示する。
【００２４】
また、再生機器３０は、ライセンス２７から各暗号鍵データ２８をそれぞれ読み取り復号化処理部３３に供給する。この復号化処理部３３は、ライセンス２７に固有な識別番号ＬＩＩＤを用いて、入力された各暗号鍵データ２８の暗号化を解き、各鍵データをサーバ１４に開示する。
【００２５】
サーバ１４では、リスト処理部１８が、再生機器３０から開示されたコンテンツリスト（鍵データのリスト）と各鍵データとを照合して、再生機器３０に無課金でダウンロードさせることが可能なコンテンツのリストを作成し、再生機器３０の表示部３４に取得させて表示させる。
【００２６】
ユーザ１２は、再生機器３０の表示部３４に表示されたコンテンツリストから所望の暗号化されたコンテンツを選択し、サーバ１４にアクセスして、そのコンテンツデータベース１５から所望の暗号化されたコンテンツを取得することができる。このとき、サーバ１４は、再生機器３０に対して課金を発生しない。そして、この取得された暗号化コンテンツ２１は、再生処理部３５に供給される。
【００２７】
この再生処理部３５は、復号化処理部３３で復号された対応する鍵データを用いて、入力された暗号化コンテンツ２１の暗号化を解き、ここに、再生機器３０で取得したコンテンツの再生が行なわれる。
【００２８】
すなわち、ユーザ１２は、ライセンス２７を再生機器３０に接続することにより、ＰＣ１９を使用することなく、再生機器３０で、過去にＰＣ１９が購入したコンテンツを課金なく取得し再生することが可能となる。このため、ユーザによる取り扱いの自由度を高めることが可能となる。
【００２９】
また、ライセンス２７には、ライセンス２７に固有な識別番号ＬＩＩＤを暗号鍵として鍵データ２３を暗号化した暗号鍵データ２８と、ＰＣ１９に固有な識別番号ＰＣＩＤを暗号鍵として鍵データリスト３２を暗号化した暗号鍵データリスト２９とが記録されているので、正規のユーザ以外の者がライセンス２７の記録内容を読み取っても、識別番号ＬＩＩＤ及びＰＣＩＤが分からないため鍵データ２３を復号することができない。このため、サーバ１４から暗号化コンテンツ２１を読み取ったとしても、それを解読することができないので、不正コピー等に対して十分な保護も行なうことができる。
【００３０】
さらに、ライセンス２７には、暗号鍵データ２８と暗号鍵データリスト２９とが記録されているだけで、サーバ１４から取得した暗号化コンテンツ２１の暗号解除処理は再生機器３０内で行なう構成となっている。このため、暗号解除後のコンテンツが再生機器３０の外部に出ないので、この点でも、コンテンツを十分に保護することができる。
【００３１】
また、サーバ１４は、再生機器３０が開示した鍵データリスト３２と鍵データ２３とに基づいて、つまり、それぞれ異なる識別番号ＰＣＩＤ及びＬＩＩＤを用いて暗号化及び復号化された鍵データリスト３２と鍵データ２３とを照合して、再生機器３０にダウンロード可能なコンテンツのリストを作成するようにしたので、信頼性の高いコンテンツリストを作成することが可能となる。
【００３２】
図２は、上記ＰＣ１９がサーバ１４からコンテンツを購入して再生する処理動作をまとめたフローチャートを示している。すなわち、処理が開始（ステップＳ２ａ）されると、ＰＣ１９は、ステップＳ２ｂで、固有の識別番号ＰＣＩＤを有しているか否かを判別し、有していないと判断された場合（ＮＯ）、ステップＳ２ｃで、固有の識別番号ＰＣＩＤをサーバ１４に登録する処理を経て、ステップＳ２ｂの処理に戻される。
【００３３】
また、上記ステップＳ２ｂで固有の識別番号ＰＣＩＤを有していると判断された場合（ＹＥＳ）、ＰＣ１９は、ステップＳ２ｄで、サーバ１４に対してコンテンツを選択し取得することを要求する。すると、サーバ１４は、ステップＳ２ｅで、そのコンテンツデータベース１５から要求された暗号化コンテンツ２１をＰＣ１９に出力し、ＰＣ１９はその暗号化コンテンツ２１を取得する。
【００３４】
その後、ＰＣ１９は、ステップＳ２ｆで、サーバ１４にアクセスし、取得した暗号化コンテンツ２１の暗号化を解くために必要な鍵データを要求する。すると、サーバ１４は、ステップＳ２ｇで、鍵データベース１６から必要な鍵データ２３をＰＣ１９に送信するとともに、ステップＳ２ｈで、ＰＣ１９に対して課金を発生する。
【００３５】
そして、ＰＣ１９は、ステップＳ２ｉで、取得した暗号化コンテンツ２１と鍵データ２３とが適合しているか否かを判別し、適合していると判断された場合（ＹＥＳ）、ステップＳ２ｊで、鍵データ２３に基づいて暗号化コンテンツ２１の暗号化を解き、コンテンツを再生して、処理を終了（ステップＳ２ｌ）する。
【００３６】
また、上記ステップＳ２ｉで暗号化コンテンツ２１と鍵データ２３とが適合していないと判断された場合（ＮＯ）、ＰＣ１９は、ステップＳ２ｋで、コンテンツの再生が不可と判断し、例えばその旨をユーザに報知して、処理を終了（ステップＳ２ｌ）する。
【００３７】
図３は、上記ＰＣ１９が暗号鍵データ２８及び暗号鍵データリスト２９を作成して、ライセンス２７に記録させる処理動作をまとめたフローチャートを示している。すなわち、処理が開始（ステップＳ３ａ）されると、ＰＣ１９は、ステップＳ３ｂで、ライセンス２７が接続されているか否かを判別する。
【００３８】
そして、ライセンス２７が接続されていると判断された場合（ＹＥＳ）、ＰＣ１９は、ステップＳ３ｃで、そのライセンス２７が固有の識別番号ＬＩＩＤを有しているか否かを判別し、有していないと判断された場合（ＮＯ）、ステップＳ３ｄで、ライセンス２７をサーバ１４に登録し、固有の識別番号ＬＩＩＤを得る処理を経て、ステップＳ３ｃの処理に戻される。
【００３９】
また、上記ステップＳ３ｃでライセンス２７が固有の識別番号ＬＩＩＤを有していると判断された場合（ＹＥＳ）、ＰＣ１９は、ステップＳ３ｅで、その識別番号ＬＩＩＤを用いて、サーバ１４から取得した鍵データ２３を暗号化し、ステップＳ３ｆで、その暗号鍵データ２８をライセンス２７に記録させる。
【００４０】
その後、ＰＣ１９は、ステップＳ３ｇで、リスト作成部２５で作成した鍵データリスト３２を、ＰＣ１９に固有の識別番号ＰＣＩＤを用いて暗号化し、ステップＳ３ｈで、その暗号鍵データリスト２９をライセンス２７に記録させて、処理を終了（ステップＳ３ｉ）する。
【００４１】
図４及び図５は、上記再生機器３０がサーバ１４からコンテンツを取得する処理動作をまとめたフローチャートを示している。すなわち、処理が開始（ステップＳ４ａ）されると、再生機器３０は、ステップＳ３ｂで、ライセンス２７が接続されているか否かを判別する。
【００４２】
そして、ライセンス２７が接続されている場合（ＹＥＳ）、再生機器３０は、ステップＳ４ｃで、ＰＣ１９に固有の識別番号ＰＣＩＤを用いて、ライセンス２７から読み取った暗号鍵データリスト２９の暗号化を解き、鍵データリスト３２が得られたか否かを判別し、鍵データリスト３２が得られたと判断された場合（ＹＥＳ）、ステップＳ４ｄで、その鍵データリスト３２を過去にＰＣ１９が購入したコンテンツのリストとしてサーバ１４に開示する。
【００４３】
その後、再生機器３０は、ステップＳ４ｅで、ライセンス２７に固有の識別番号ＬＩＩＤを用いて、ライセンス２７から読み取った暗号鍵データ２８の暗号化を解き、鍵データ２３が得られたか否かを判別し、鍵データ２３が得られたと判断された場合（ＹＥＳ）、ステップＳ４ｆで、その鍵データ２３をサーバ１４に開示する。
【００４４】
すると、サーバ１４は、ステップＳ４ｇで、再生機器３０から開示された各鍵データ２３がそれぞれ正しいか否かを判別し、正しいと判断された場合（ＹＥＳ）、ステップＳ４ｈで、その鍵データ２３と鍵データリスト３２とに基づいて、再生機器３０にダウンロード可能なコンテンツのリストを作成し、再生機器３０の表示部３４に表示させる。
【００４５】
これにより、再生機器３０は、ステップＳ４ｉで、サーバ１４に対してコンテンツを選択し取得することを要求する。すると、サーバ１４は、ステップＳ４ｊで、そのコンテンツデータベース１５から要求された暗号化コンテンツ２１を再生機器３０に出力し、再生機器３０はその暗号化コンテンツ２１を取得して、処理を終了（ステップ）する
一方、上記ステップＳ４ｃで鍵データリスト３２が得られなかったと判断された場合（ＮＯ）、上記ステップＳ４ｅで鍵データ２３が得られなかったと判断された場合（ＮＯ）、ステップＳ４ｇで鍵データ２３が正しくないと判断された場合（ＮＯ）には、再生機器３０は、ステップＳ４ｋで、コンテンツの取得が不可と判断し、例えばその旨をユーザに報知して、処理を終了（ステップＳ４ｌ）する。
【００４６】
図６は、上記再生機器３０がサーバ１４から取得した暗号化コンテンツ２１を再生する処理動作をまとめたフローチャートを示している。すなわち、処理が開始（ステップＳ６ａ）されると、再生機器３０は、ステップＳ６ｂで、ライセンス２７が接続されているか否かを判別する。
【００４７】
そして、ライセンス２７が接続されている場合（ＹＥＳ）、再生機器３０は、ステップＳ６ｃで、ライセンス２７に固有の識別番号ＬＩＩＤを用いて、ライセンス２７から読み取った暗号鍵データ２８の暗号化を解き、鍵データ２３が得られたか否かを判別し、鍵データ２３が得られたと判断された場合（ＹＥＳ）、ステップＳ６ｄで、その鍵データ２３と予め取得した暗号化コンテンツ２１とが適合しているか否かを判別する。
【００４８】
ここで、鍵データ２３と暗号化コンテンツ２１とが適合していると判断された場合（ＹＥＳ）、再生機器３０は、ステップＳ６ｅで、鍵データ２３に基づいて暗号化コンテンツ２１の暗号化を解き、コンテンツを再生して、処理を終了（ステップＳ６ｇ）する。
【００４９】
また、ステップＳ６ｃで鍵データ２３が得られなかったと判断された場合（ＮＯ）、上記ステップＳ６ｄで暗号化コンテンツ２１と鍵データ２３とが適合していないと判断された場合（ＮＯ）には、再生機器３０は、ステップＳ６ｆで、コンテンツの再生が不可と判断し、例えばその旨をユーザに報知して、処理を終了（ステップＳ６ｇ）する。
【００５０】
ここにおいて、上記再生機器３０としては、例えばホテル、車両、待合所等に据え置かれるタイプや、ポータブルオーディオのような携帯タイプが考えられる。ポータブルオーディオでは、ライセンス２７が接続され、そのライセンス情報（鍵データ２３）を参照することでコンテンツを再生することができる。
【００５１】
また、ポータブルオーディオは、ＰＣ１９とインタフェースを持ち、サーバ１４から暗号化コンテンツ２１を取得するために、ＰＣ１９を中継することになる。特に、再生機器３０は、サーバ１４から暗号化コンテンツ２１をダウンロードして再生するため、ポータブルオーディオのように記録容量が少ない機器を再生機器３０として使用してもコンテンツを入れ替えることで、十分に実用に適するものとなる。
【００５２】
さらに、再生装置３０としては、サーバ１４からコンテンツを購入したＰＣ１９とは別のＰＣでもよい。この別のＰＣは、ライセンス２７が接続可能であるとともに、ネットワーク１３にも接続が可能で、暗号化コンテンツ２１を保存することができる装置であり、ライセンス情報（鍵データ２３）を参照することでコンテンツを再生することができる。なお、ライセンス情報（鍵データ２３）を参照できなくなるとコンテンツの再生ができなくなる。
【００５３】
また、サーバ１４からコンテンツを購入する機器としては、ＰＣ１９の他にジュークボックス（ミニコンポ等を含む）でもよい。ジュークボックスは、ライセンス２７が接続可能であるとともに、ネットワーク１３にも接続が可能で、サーバ１４から購入した暗号化コンテンツ２１を保存することができる装置であって、ライセンス２７に記録するデータを生成することができる。
【００５４】
さらに、サーバ１４は、ＰＣ１９にて購入したコンテンツの履歴を保持しておき、その履歴と再生機器３０が開示する鍵データリスト３２とを照合して、再生機器３０にダウンロード可能なコンテンツリストを作成するようにしても良い。
【００５５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５６】
【図１】この発明の実施の形態を示すもので、コンテンツ配信システムの概略を説明するために示すブロック構成図。
【図２】同実施の形態におけるコンテンツ配信システムのＰＣがコンテンツを購入して再生する動作を説明するために示すフローチャート。
【図３】同実施の形態におけるコンテンツ配信システムのＰＣがライセンスにデータを記録する動作を説明するために示すフローチャート。
【図４】同実施の形態におけるコンテンツ配信システムの再生機器がコンテンツを取得する動作の一部を説明するために示すフローチャート。
【図５】同実施の形態におけるコンテンツ配信システムの再生機器がコンテンツを取得する動作の残部を説明するために示すフローチャート。
【図６】同実施の形態におけるコンテンツ配信システムの再生機器がライセンスのデータに基づいてコンテンツを再生する動作を説明するために示すフローチャート。
【符号の説明】
【００５７】
１１…コンテンツ配信サービス、１２…ユーザ、１３…ネットワーク、１４…サーバ、１５…コンテンツデータベース、１６…鍵データベース、１７…登録処理部、１８…リスト処理部、１９…ＰＣ、２０…登録処理部、２１…暗号化コンテンツ、２２…再生処理部、２３…鍵データ、２４…暗号化処理部、２５…リスト作成部、２６…暗号化処理部、２７…ライセンス、２８…暗号鍵データ、２９…暗号鍵データリスト、３０…再生機器、３１…復号化処理部、３２…鍵データリスト、３３…復号化処理部、３４…表示部、３５…再生処理部。
【図１】
2008011399.tif 000003
【図２】
2008011399.tif 000004
【図３】
2008011399.tif 000005
【図４】
2008011399.tif 000006
【図５】
2008011399.tif 000007
【図６】
2008011399.tif 000008